(57)【要約】【課題】引出し式の貯蔵室の収納容器を、扉部から容易に着脱可能にする貯蔵庫を提供する。【解決手段】引き出し式の貯蔵室扉と、貯蔵物を収納する収納容器と、前記貯蔵室扉と前記収納容器とを接続する前記貯蔵室扉に設けられた第一接続部材と、前記第一接続部材を介して前記貯蔵室扉と前記収納容器とを接続する前記収納容器に設けられた第二接続部材と、を備え、前記収納容器は貯蔵庫本体に案内される摺動部を有し、前記第一接続部材と前記第二接続部材とが嵌合して接続することにより前記貯蔵室扉と前記収納容器とが着脱可能に支持される。【選択図】図４
2014009910.tif 000002
【特許請求の範囲】
【請求項１】
引き出し式の貯蔵室扉と、
貯蔵物を収納する収納容器と、
前記貯蔵室扉と前記収納容器とを接続する前記貯蔵室扉に設けられた第一接続部材と、
前記第一接続部材を介して前記貯蔵室扉と前記収納容器とを接続する前記収納容器に設けられた第二接続部材と、を備え、
前記収納容器は貯蔵庫本体に案内される摺動部を有し、
前記第一接続部材と前記第二接続部材とが嵌合して接続することにより前記貯蔵室扉と前記収納容器とが着脱可能に支持される
ことを特徴とする貯蔵庫。
【請求項２】
請求項１に記載の貯蔵庫において、
前記貯蔵室扉の背面に設けられたロック機構と、
前記収納容器の前面に設けられたロック機構受け部と、を備え、
前記ロック機構と前記ロック機構受け部により前記貯蔵室扉と前記収納容器とが固定される
ことを特徴とする貯蔵庫。
【請求項３】
請求項１及び請求項２に記載の貯蔵庫において、
前記第一接続部材は、左右方向にスライド可能な溝部を有する貯蔵室扉側スライドレールであり、
前記第二接続部材は、左右方向にスライド可能な溝部を有し、前記貯蔵室扉側スライドレールに接続される収納容器側スライドレールである
ことを特徴とする貯蔵庫。
【請求項４】
請求項３に記載の貯蔵庫において、
前記ロック機構は、凸部を有し、
前記ロック機構受け部は、前記凸部が嵌る形状をした凹部になっており、
前記ロック機構は、下方向に力が働く弾性体を介して前記貯蔵室扉に設けられ、前記弾性体の力で、凹部と圧接することにより左右方向に固定される
ことを特徴とする貯蔵庫。
【請求項５】
請求項４に記載の貯蔵庫において、
前記凹部は、前記収納容器の前面の上面の中央に設けられ、
前記ロック機構は、前記凹部に嵌る位置に設けられ、
前記収納容器の前面の上面は、左右の端部から前記凹部にかけて上方に傾斜し、前記ロック機構と接する傾斜面を有することを
特徴とする貯蔵庫。
【請求項６】
請求項１及び請求項２に記載の貯蔵庫において、
前記第二接続部材は、上下方向にスライド可能な溝部を有する収納容器側スライドレールであり、
前記第一接続部材は、上下方向にスライド可能な溝部を有し、前記収納容器側スライドレールと接続される貯蔵室側スライドレールである
ことを特徴とする貯蔵庫。
【請求項７】
請求項６に記載の貯蔵庫において、
前記第二接続部材、若しくは、前記第一接続部材の前記スライドレールの下端部のどちらか一方に保持部を設けられ、
前記保持部は、他方のスライドレールの下端部と当接し下方向に保持する
ことを特徴とする貯蔵庫。
【請求項８】
請求項１に記載の貯蔵庫において、
前記第二接続部材は設置面に対して上向きのフックであり、前記第一接続部材は、前記フックの受け部であり、前記貯蔵室扉と前記収納容器とを支持する
ことを特徴とする貯蔵庫。
【請求項９】
請求項１から請求項８に記載の貯蔵庫において、
前記貯蔵室扉と前記収納容器が分離された状態にて、前記貯蔵室扉が前記貯蔵庫本体に対して保持する保持機構と保持機構受け部を、それぞれ前記貯蔵室扉若しくは前記貯蔵庫本体に有する
ことを特徴とする貯蔵庫。
【請求項１０】
請求項９に記載の貯蔵庫において、
前記保持機構受け部は、前記貯蔵庫本体側に設けられた凹部であり、
前記保持機構は、上方向に力が働く弾性体を介して前記貯蔵室扉に設けられ、前記貯蔵室扉と前記収納容器が分離された状態で、弾性体が伸びて、前記保持機構の凸部が押し出される状態になり、
前記保持機構が押し出された状態で、前記保持機構が前記凹部と嵌り合う
ことを特徴とする貯蔵庫。
【発明の詳細な説明】
【技術分野】
【０００１】
本発明は、貯蔵物を冷蔵または冷凍する冷蔵庫や冷凍庫などの貯蔵庫に関する。
【背景技術】
【０００２】
現在主流となっている冷蔵庫および冷凍庫などの貯蔵庫おいて、貯蔵物を出し入れする為の扉は、前方側に左右に分割された観音開き（いわゆるフレンチ型）式か、若しくは、下部の扉は引き出し式かで構成されている。
【０００３】
その引き出し式の扉おいて、その構造を具体的に説明すると、内部に断熱材が充填された扉部と、食品などの貯蔵物を収納する収納容器と、当該収納容器を囲う様に保持する支持枠とから構成されており、当該支持枠は扉部に固定された構造を有している。このような構造により、扉部を貯蔵庫本体に対して手前側に引き出すことによって、扉部に固定された支持枠と共に、当該支持枠に保持されている収納容器も一緒に庫外から引き出されることとなり、貯蔵物を取出し又は収納することができる。
【０００４】
また、特許文献１には、引出し式の貯蔵室について、貯蔵容量を大きくするために、支持枠を失くし、扉部とこの扉の裏側に両側壁部及び後壁部を有して設けられた枠、ならびにこの枠に着脱可能に設けられた底板とにより構成した引き出し式の扉の構造が開示されている。
【０００５】
また、特許文献２には、容器前面に設けられたフランジ部と、引出扉の内板に備えた固定手段を備え、フランジ部が固定手段によって固定されている冷蔵庫が開示されている。
【先行技術文献】
【特許文献】
【０００６】
【特許文献１】特開平４−３０２９８５号公報
【特許文献２】特開２０１１−２０２８５３号公報
【発明の概要】
【発明が解決しようとする課題】
【０００７】
しかしながら、従来の貯蔵庫では、例えば、扉部と支持枠が螺子などで螺合されて固着され、当該支持枠に収納容器が保持されている。従って、収納容器を持ち運ぶ際に、まずは扉部と支持枠と収納容器を全て貯蔵庫本体から引き出し、持ち運ぶ必要があった。それ故に、扉部と支持枠の重量が加わるので使用者側の負担が増していた。また、持ち運ぶ際に不意にどこかと接触する可能性があった。特に、扉部前面は近年、ガラス材等の化粧パネルで構成されている場合もあり、不意に接触した場合、凹みや割れが生じて本来の意匠性を損なうことにもつながる問題があった。
【０００８】
また、例えば、特許文献１においては、支持枠が無い構成が開示されているが、貯蔵室の側面と後面の収納容器壁面は螺子で螺合されて扉部の裏側と固着されており、着脱可能なのは底板に限られている。従って、周辺壁面の奥行き幅も大きいので、扉部を持ち運ぶ際に不意にどこかと接触する可能性があった。また、貯蔵室を丸洗いするには、わざわざ螺子を外す必要があり、清掃性が悪かった。
【０００９】
また、特許文献２において、キャビネットレールのレール取付部が断熱箱体の内箱に取り付けられるレール装置を有し、容器はレール装置上に支持されている。従って、扉部を持ち運ぶ際には、取付部を外す必要があった。また、固定手段は取付部の強度不足を補うものであって、容器を支持するものではない。
【００１０】
本発明の課題は、引出し式の貯蔵室の収納容器を、扉部から容易に着脱可能にする貯蔵庫を提供することにある。
【課題を解決するための手段】
【００１１】
上記課題を解決するための本発明の貯蔵庫の一例としては、引き出し式の貯蔵室扉と、貯蔵物を収納する収納容器と、前記貯蔵室扉と前記収納容器とを接続する前記貯蔵室扉に設けられた第一接続部材と、前記第一接続部材を介して前記貯蔵室扉と前記収納容器とを接続する前記収納容器に設けられた第二接続部材と、を備え、前記収納容器は貯蔵庫本体に案内される摺動部を有し、前記第一接続部材と前記第二接続部材とが嵌合して接続することにより前記貯蔵室扉と前記収納容器とが着脱可能に支持される。
【発明の効果】
【００１２】
本発明によれば、引出し式の貯蔵室の収納容器を、扉部から容易に着脱可能にでき、清掃性が良好で且つ利便性の高い冷蔵庫または冷凍庫などの貯蔵庫を実現できる。
【図面の簡単な説明】
【００１３】
【図１】本発明に関わる実施形態１の貯蔵庫を示す正面図である。
【図２】貯蔵庫の各扉を開放した状態を示す斜視図である。
【図３】上段冷凍室扉を収納容器とともに外した状態を貯蔵庫前上方から目視した斜視図である。
【図４】実施形態１の貯蔵庫の庫内から引き出した上段冷凍室扉とその収納容器とを分離させた状態を斜め後方方から目視した斜視図である。
【図５】収納容器を斜め前方から目視した斜視図である。
【図６】貯蔵庫から引き出した上段冷凍室扉と収納容器とが嵌り合った状態を示す左側方からの断面図である。
【図７】上段冷凍室扉と収納容器とを固定するロック機構の動きを後方示した説明図である。
【図８】本実施形態の貯蔵庫の庫内から引き出した上段冷凍室扉とその収納容器とを分離させた斜め後方方から目視した斜視図である。
【図９】収納容器を斜め前方から目視した斜視図である。
【図１０】冷凍庫室扉と貯蔵庫本体とを固定している断面図である。
【図１１】収納容器を斜め前方から示した斜視図である。
【図１２】上段冷凍室扉と貯蔵庫本体を固定するロック機構の動きを後方示した説明図である。
【発明を実施するための形態】
【００１４】
以下、本発明の実施形態について添付図面を参照して説明する。
＜＜実施形態１＞＞
図１は、本発明に関わる実施形態１の貯蔵庫を示す正面図である。実施形態１の貯蔵庫１は、その本体部を成す貯蔵庫本体１Ｈに、上方から、冷蔵室２、製氷室３及び上段冷凍室４、下段冷凍室５、および野菜室６が画設されている。なお、製氷室３と上段冷凍室４は左右に並設され、冷蔵室２と下段冷凍室５との間に配置されている。冷蔵室２及び野菜室６は、約３〜５℃の冷蔵温度帯の貯蔵室である。一方、製氷室３，上段冷凍室４及び下段冷凍室５は、約−１８℃の冷凍温度帯の貯蔵室である。
【００１５】
図２は、貯蔵庫の各扉を開放した状態を示す斜視図である。冷蔵室２は、前方側に左右に分割された観音開き（いわゆるフレンチ型）の冷蔵室扉２ａ，２ｂを備えている。冷蔵室扉２ａ，２ｂの冷蔵室２の内側には、複数の扉ポケット３２が備えられている。また、冷蔵室２は複数の棚３６が設けられており、棚３６により、冷蔵室２は縦方向に複数の貯蔵スペースに区画されている。
【００１６】
製氷室３，上段冷凍室４，下段冷凍室５，および野菜室６は、それぞれ引き出し式の製氷室扉３ａ，上段冷凍室扉４ａ，下段冷凍室扉５ａ，および野菜室扉６ａを備えている。製氷室３、上段冷凍室４，下段冷凍室５及び野菜室６は、収納容器３ｂ，４ｂ，５ｂ，６ｂがそれぞれ設けられており、詳しくは後述するが、それぞれの貯蔵室の前方に備えられた扉(３ａ，４ａ，５ａ、６ａ)と一体に前後方向に移動し出し入れされる。なお、収納容器３ｂ，４ｂ，５ｂ，６ｂは透明または半透明としているが、透明または半透明でなくともよい。
【００１７】
製氷室扉３ａ，上段冷凍室扉４ａ，下段冷凍室扉５ａ及び野菜室扉６ａの前面には、それぞれ各扉(３ａ，４ａ，５ａ、６ａ)を庫外の手前側に引き出す際にユーザ(使用者)に把持される取っ手部３ｔ，４ｔ，５ｔ，６ｔ(図１参照)が設けられている。ユーザが、製氷室扉３ａ，上段冷凍室扉４ａ，下段冷凍室扉５ａ及び野菜室扉６ａのそれぞれの取っ手部３ｔ，４ｔ，５ｔ，６ｔを把持して手前側に引き出すことにより、図３に示すように、製氷室３、上段冷凍室４、下段冷凍室５及び野菜室６の各収納容器３ｂ，４ｂ，５ｂ，６ｂが、手前側(図２の紙面左側)に引き出される。
【００１８】
また、各扉(２ａ，２ｂ，３ａ，４ａ，５ａ，６ａ)における貯蔵室(２、３、４、５、６)側の面には、各扉の外縁に沿った態様でシール部材（図示せず）が設けられ、各扉の閉鎖時、貯蔵室内への温かい外気の侵入、及び貯蔵室からの冷気の漏出を抑制している。貯蔵庫本体１Ｈは、各貯蔵室(２、３、４、５、６)に設けた扉(２ａ，２ｂ，３ａ，４ａ，５ａ，６ａ)の開閉状態をそれぞれ検知する扉センサ（図示せず）と、各扉が開放していると判定された状態が所定時間、例えば１分間以上継続された場合、ユーザに警告音で報知するアラーム（図示せず）とを備えている。また、冷蔵室扉２ｂの前面には、ユーザが、各貯蔵室(２、３、４、５、６)の温度設定などをするための温度設定器２ｃを備えている。
【００１９】
貯蔵庫本体１Ｈの庫内と庫外とは、貯蔵庫１の外郭を形成する外箱と貯蔵室(２〜６)を形成する内箱との間に発泡断熱材（発泡ポリウレタン）を充填して形成される断熱箱体により隔てられている(断熱されている)。断熱箱体は、充填される発泡断熱材の他に、複数の断熱性が高い真空断熱材(図示せず)を実装している。各扉(２ａ，２ｂ，３ａ，４ａ，５ａ，６ａ)内には、それぞれ発泡断熱材が充填され、断熱性を確保している。
【００２０】
貯蔵庫本体１Ｈは、冷蔵温度帯の冷蔵室２と、冷凍温度帯の上段冷凍室４及び製氷室３(図１参照)とが、その間にある上側断熱仕切壁により断熱的に仕切られている。また、冷凍温度帯の下段冷凍室５と冷蔵温度帯の野菜室６とが、その間にある下側断熱仕切壁により、断熱的に仕切られている。下段冷凍室５の上部には、下段冷凍室５と製氷室３及び上段冷凍室４とを、上下方向に仕切る横仕切部５３を設けている。
【００２１】
図３は、上段冷凍室扉を収納容器とともに外した状態を貯蔵庫前上方から目視した斜視図である。横仕切部５３の上部には、製氷室３と上段冷凍室４との間を左右方向に仕切る縦仕切部５４を設けている。
【００２２】
縦仕切部５４には、上段冷凍室扉４ａに固着される後記の収納容器４ｂの一方の摺動部９ｓが案内される縦仕切部レール５４ｒが形成されている。縦仕切部レール５４ｒは、一方の摺動部９ｓが案内される摺動部９ｓよりやや大きい寸法の横断面コの字状の凹形状を有し、前後方向に延在している。縦仕切部レール５４ｒは、一方の摺動部９ｓを重力方向に受ける摺動部材受け部５４ｒ１を有する。
【００２３】
縦仕切部５４の縦仕切部レール５４ｒに対向する右側壁１Ｈ２には、収納容器４ｂの他方の摺動部９ｓが案内される右側壁レールＨ２ｒが形成されている。右側壁レールＨ２ｒは、他方の摺動部９ｓよりやや大きい寸法の横断面コの字状の凹形状を有し前後方向に延在している。右側壁レールＨ２ｒは、他方の摺動部９ｓを重力方向に受ける摺動部材受け部Ｈ２ｓを有する。
【００２４】
なお、本実施例において、縦仕切り部レール５４ｒと右側壁レールＨ２ｒとして、左右にレールを設ける構成としたが、横仕切り部５３にレールを設ける構成としてもよい。
【００２５】
右側壁レールＨ２ｒ、縦仕切部レール５４ｒは、それぞれＰＰ(polypropylene：ポロプロピレン)で成形される。横仕切部５３は、下側断熱仕切壁の前面及び貯蔵庫本体１Ｈの左・右側壁１Ｈ１、１Ｈ２(図１参照)の前面とともに、下段冷凍室扉５ａの庫内側の面に設けたシール部材（図示せず）を受けて、下段冷凍室５と下段冷凍室扉５ａとの間での気体の移動(出入り)を抑制する。
【００２６】
また、製氷室扉３ａ及び上段冷凍室扉４ａの貯蔵室(製氷室３及び上段冷凍室４)側の面に設けたシール部材は、横仕切部５３，縦仕切部５４，上側断熱仕切壁及び貯蔵庫本体１Ｈの左右側壁１Ｈ１、１Ｈ２(図１参照)の前面と接することで、製氷室３及び上段冷凍室４と製氷室扉３ａ及び上段冷凍室扉４ａとの間での気体の移動(出入り)をそれぞれ抑制する。
【００２７】
なお、製氷室３，上段冷凍室４及び下段冷凍室５は、何れも冷凍温度帯なので、横仕切部５３及び縦仕切部５４の前部は、各扉(製氷室扉３ａ及び上段冷凍室扉４ａ)のシール部材を受けるために、少なくとも貯蔵庫本体１Ｈの前側にあればよい。すなわち、冷凍温度帯の製氷室３及び上段冷凍室４、下段冷凍室５は、同じ冷凍温度帯であるため、各貯蔵室間で気体の移動(出入り)があってもよく、断熱区画しなくてもよい。貯蔵庫１は、貯蔵室(２、３、４、５、６)(図１参照)を冷却するために、不図示の冷凍サイクル(冷却手段)を具備している。
＜上段冷凍室扉と収納容器との着脱構造＞
図４は、実施形態１の貯蔵庫の庫内から引き出した上段冷凍室扉とその収納容器とを分離させた状態を斜め後方から示した斜視図である。図５は、収納容器を斜め前方から示した斜視図である。図６は、貯蔵庫から引き出した上段冷凍室扉と収納容器とが嵌り合った状態を示す左側方からの断面図である。
【００２８】
上段冷凍室扉４ａと収納容器４ｂとは、着脱可能な構成となっており、貯蔵物を収納容器に納め、貯蔵庫本体１Ｈ内で冷凍する場合には、上段冷凍室扉４ａと収納容器４ｂが取りつけられた状態で、貯蔵庫本体１Ｈに収納される。上段冷凍室扉４ａの背面、つまり、貯蔵庫の庫内側には、収納容器４ｂと嵌り合う貯蔵室扉側の接続部材である、爪が上を向いた上部スライドレール４ｃｕと爪が下を向いた下部スライドレール４ｃｌからなる、左右に貯蔵室側スライドレール４ｃが設けられている。当該貯蔵室扉側スライドレール４ｃが接続部として、後述する収納容器側スライドレール４ｄと嵌合する。
【００２９】
また、上段冷凍室扉４ａの後周縁部には、その外縁に沿った態様でシール部材４ｓが設けられている。シール部材４ｓは、扉を閉めた際に外部と内部の空気の流通を阻止する部材であれば良く、例えば、弾性および柔軟性を有するゴムで形成され、具体的には、シリコーンゴム、ブタジエンゴムなどが使用される。その他、例えば、シリコン素材や、プラスチック素材であってもよい。
【００３０】
一方、図５に示す通り、収納容器４ｂの前面には、収納容器側の接続部材である、爪が下を向いた上部スライドレール４ｄｕと、爪が上を向いた下部スライドレール４ｄｌからなる、収納容器側スライドレール４ｄが設けられている。また、収納容器４ｂの左右の後部には、車輪様の形状の所謂不動輪を成す摺動部９ｓが鉛直方向に成形されている。当該収納容器側スライドレール４ｄが接続部として、貯蔵室側スライドレール４ｃと嵌合する。
【００３１】
本実施例では、摺動部９ｓはＰＯＭ(polyoxymethylene：ポリアセタール)で成形される。一方、縦仕切部レール５４ｒ、右側壁レールＨ２ｒはＰＰ(ポロプロピレン)で成形されている。このように、両者が別材料で形成されていることから、静・動摩擦係数が低くなり、スベリ性が良好となる。なお、右側壁レールＨ２ｒ、縦仕切部レール５４ｒ、摺動部９ｓの各材質はこれらに限定されないことは云うまでも無い。また、本発明においては、必ずしも縦仕切部レール５４ｒ、右側壁レールＨ２ｒと摺動部９ｓとが異種材料であることを要しないが、スベリ性を良好にするという点においては、異種材料を用いることが好ましい。
【００３２】
また、本実施例において、摺動部９ｓは収納容器４ｂの両側面に設ける構成としたがこれに限られない。例えば、収納容器の底面に凸部を有した摺動部を設ける構成としてもよい。他に、収納容器側若しくは庫内側にローラーを有し、他方にローラーの受け部を設ける構成としてもよい。
【００３３】
図６で示す通り、貯蔵室扉側スライドレール４ｃと収納容器側スライドレール４ｄの溝部に、それぞれのレールが嵌り合うことにより、上段冷凍室扉４ａと収納容器４ｂが保持される。
【００３４】
これにより、引出し式の貯蔵室の収納容器を、扉部から容易に着脱可能にする貯蔵庫を提供することができる。したがって、それぞれの可搬性と清掃性を向上することができ、利便性の高い貯蔵庫を提供することができる。より具体的に、例えば、貯蔵室扉のみを貯蔵庫本体から引き出し、収納容器を取り外すことにより、収納容器を貯蔵庫本体に残したまま、貯蔵室扉を取り外すことができる。従って、貯蔵室扉と収納容器を別々に運び出すことができ、重量が軽くなるので使用者にとって負担が減る。また、持ち運ぶ際に不意にどこかと接触する可能性も低減することができる。
【００３５】
一方、従来の一例においては、支持枠に収納容器が装荷されているので、その収納容器の容積が支持枠に制限されていた。当該実施例は、従来例において説明した引き出し扉と固着された支持枠を無くした構成となっている。従って、本実施例においては、支持枠に制限されることなく収納容器を成形できるので、より大きな収納容量がある収納容器を提供することができる。また、支持枠を無くすことにより部品点数を抑えることができるので、より低コストで貯蔵庫を提供することができる。
【００３６】
なお、本実施例において、扉側スライドレール４ｃの爪は、上部スライドレール４ｃｕは上向きであり、下部スライドレール４ｃｌは下向きである一方で、収納容器側スライドレール４ｄの爪は、上部スライドレール４ｄｕは下向きであり、下部スライドレール４ｄｌは上向きだと説明した。この構成とすることにより、上段冷凍室扉４ａと収納容器４ｂとが上下方向に固定され、引き出し動作において上下方向に力が加わったとしても収納容器４ｂを安定して引き出すことができる。なお、スライドレールの爪の向きは、この実施例の構成に限られるものではない。扉側スライドレールと収納容器側スライドレールにより、冷凍庫室扉４ａと収納容器４ｂが嵌合することにより保持され、着脱可能な構成であればよい。
【００３７】
なお、本実施例において、貯蔵室扉と貯蔵室扉側接続部材であるスライドレール４ｃ、収納容器と収納容器側接続部材であるスライドレール４ｄとを一体成型としたが、これに限られるものではない。例えば、貯蔵室扉側の接続部材や収納容器側接続部材を別部材として、螺子などの中間部材を介して、貯蔵室扉や収納容器と固着されていてもよい。
【００３８】
なお、貯蔵室扉と収納容器を着脱可能にする為の接続部材として、スライドレールを例として挙げたが、この構成に限るものではない。その他の例として、冷凍庫室扉、若しくは、収納容器側に、それぞれが結合する為のフックを設ける構成としてもよい。具体的に、例えば、貯蔵室側接続部材を、設置面に対して上向きの鉤状フックとし、収納容器側接続部材を、鉤状フックを受ける溝としてもよい。収納容器内の貯蔵物の負荷に耐えうる程度の数に、フックと溝を設けることが望ましい。また、接続部材の他の一例として、リベットが考えられる。収納容器側と貯蔵室扉側に設けられた接続穴に、リベットを嵌合することによって着脱可能な構成としても良い。
【００３９】
これにより、引出し式の貯蔵室の収納容器を、扉部から容易に着脱可能にする貯蔵庫を提供することができる。したがって、それぞれの可搬性と清掃性を向上することができ、利便性の高い貯蔵庫を提供することができる。より具体的に、例えば、貯蔵室扉のみを貯蔵庫本体から引き出し、収納容器を取り外すことにより、収納容器を貯蔵庫本体に残したまま、貯蔵室扉を取り外すことができる。従って、貯蔵室扉と収納容器を別々に運び出すことができ、重量が軽くなるので使用者にとって負担が減る。また、持ち運ぶ際に不意にどこかと接触する可能性も低減することができる。
＜冷凍庫室扉と収納容器との固定方法＞
図４から図７を用いて、冷凍庫室扉と収納容器とを左右方向に固定する固定方法を説明する。
【００４０】
図４に示す通り、上段冷凍庫室扉４ａの後方上部に、後述するロック機構受け部４ｈと嵌合するロック機構摺動部４ｊを有する収納容器ロック機構４ｆを設けている。図６において示す通り、ロック機構４ｆは、押し下げる力が働く弾性体４ｇを介して、冷凍庫室扉４ａに固着されている。一方、図５に示す通り、収容容器４ｂの前面である冷凍庫扉側の中央上面には、凹部になっているロック機構受け部４ｈと、中央のロック機構受け部４ｈに向かって上るように傾斜する傾斜面４ｉを左右に設けて成形されている。
【００４１】
図７は上段冷凍室扉と収納容器とを固定するロック機構の動きを後方示した説明図である。収納容器４ｂ中の破線は、前方にある収納容器側スライドレール４ｄの位置を示すものである。
【００４２】
図面中（ａ）から（ｅ）の流れに沿って、分離されていた上段冷凍室扉４ａと収納容器４ｂが、左から右にスライドすることによって固定される動きを示している。まず、（ａ）において、扉側スライドレール４ｃと収納容器側スライドレール４ｄの係合溝部に、それぞれのレールが係合する。次に、（ｂ）において、収納容器４ｂの傾斜面４ｉとロック機構４ｆのロック機構摺動部４ｊとが接触する。
【００４３】
さらに右にスライドさせていくことにより、図７（ｃ）（ｄ）に示すように、傾斜面４ｉに沿って滑り上がるようにロック機構４ｆが持ち上げられる。そして、（ｅ）に示す通り、ロック機構４ｆは、収納容器４ｂのロック機構受け部４ｈに嵌合する。なお、図７において、左から右にスライドさせる動きを図示したが、逆の動きで右から左にスライドさせても傾斜面４ｉが逆になるだけで同様の動作となる。そのため、上段冷凍室扉４ａと収納容器４ｂとの左右方向の動きが抑制され、より安定性を向上させることができる。
【００４４】
また、貯蔵庫の片側に壁や、家具などの扉を９０℃以上開く際に障害となるものがあった場合においても、障害物とは逆方向にスライドすることができる。従って、障害物によって使用を制限されることがないので、使用者のそれぞれの部屋のレイアウトに沿った貯蔵庫の配置が可能となる。また、扉を大きく開く必要が無いので、冷気が漏れにくく、省エネ効果がある。
【００４５】
ロック機構４ｆとロック機構受け部４ｈが嵌合している状態から上段冷凍庫室扉４ａと収納容器４ｂを取り外す際には、ロック機構４ｆを持ち上げ、上段冷凍庫室扉４ａか収納容器４ｂのどちらかを左右にスライドさせて取り外すことができる。
＜＜上段冷凍室扉と収納容器との着脱構造の別実施例＞＞
図８は、本実施形態の貯蔵庫の庫内から引き出した上段冷凍室扉とその収納容器とを分離させた斜め後方から示した斜視図である。図９は、収納容器を斜め前方から示した斜視図である。
【００４６】
上段冷凍室扉１０ａと収納容器１０ｂとは、着脱可能な構成となっており、上段冷凍室アッセンブリを構成する。上段冷凍室扉１０ａの後部、つまり、貯蔵庫の庫内側には、後方視して、爪が左を向いた左側スライドレールと、爪が右を向いた右側スライドレールからなる、貯蔵室扉側接続部材である貯蔵室扉側スライドレール１０ｃが設けられている。また、上段冷凍室扉１０ａの後周縁部には、その外縁に沿った態様でシール部材１０ｓが設けられている。シール部材１０ｓは、扉を閉めた際に外部と内部の空気の流通を阻止する部材であれば良く、例えば、弾性および柔軟性を有するゴムで形成され、具体的に、シリコーンゴム、ブタジエンゴムなどが使用される。その他、例えば、シリコン素材や、プラスチック素材であってもよい。
【００４７】
一方、収納容器１０ｂの前方部には、後方視で、爪が右を向いた左側スライドレールと、後方視で、爪が左を向いた右側スライドレールからなる、収納容器側の接続部材である容器側スライドレール１０ｄが設けられている。また、収納容器１０ｂの左右の後部には、車輪様の形状の所謂不動輪を成す摺動部１９ｓが鉛直方向に成形されている。本実施例では、摺動部１９ｓはＰＯＭ(polyoxymethylene：ポリアセタール)で成形される。一方、縦仕切部レール５４ｒ、右側壁レールＨ２ｒはＰＰ(ポロプロピレン)で成形されている。このように、両者が別材料で形成されていることから、静・動摩擦係数が低くなり、スベリ性が良好となる。
【００４８】
なお、右側壁レールＨ２ｒ、縦仕切部レール５４ｒ、摺動部１９ｓの各材質はこれらに限定されないことは云うまでも無い。また、本発明においては、必ずしも縦仕切部レール５４ｒ、右側壁レールＨ２ｒと摺動部１９ｓとが異種材料であることを要しないが、スベリ性を良好にするという点においては、異種材料を用いることが好ましい。
【００４９】
図８で示す通り、上段冷凍室扉１０ａと収納容器１０ｂが分離することができる。通常の使用状態においては、上段冷凍室扉１０ａと収納容器１０ｂが取りつけられた状態で、貯蔵庫本体１Ｈに収納される。
【００５０】
上段冷凍室扉１０ａの後部には、扉側スライドレール１０ｃを有する。また、収納容器１０ｂには、収納容器側スライドレール１０ｄを有する。扉側スライドレール１０ｃと収納容器側スライドレール１０ｄの係合溝部に、それぞれのスライドレールが噛み合うことにより、引出扉１０ａと収納容器１０ｂが保持される。
【００５１】
これにより、貯蔵室扉である上段冷凍室扉と収納容器とが着脱可能となり、それぞれの可搬性と清掃性を向上することができ、利便性の高い貯蔵庫を提供することができる。より具体的に、貯蔵室扉のみを貯蔵庫本体から引き出し、収納容器を取り外すことにより、収納容器を貯蔵庫本体に残したまま、貯蔵室扉を取り外すことができる。従って、貯蔵室扉と収納容器を別々に運び出すことができ、重量が軽くなるので使用者にとって負担が減る。また、持ち運ぶ際に不意にどこかと接触する可能性も低減することができる。
【００５２】
一方、従来の一例においては、支持枠に収納容器が保持されているので、その収納容器の容積が支持枠に制限されていた。当該実施例は、従来例において説明した引き出し扉と固着された支持枠を無くした構成となっている。従って、本実施例においては、支持枠に制限されることなく収納容器を成形できるので、より大きな収納容量がある収納容器を提供することができる。また、支持枠を無くすことにより部品点数を抑えることができるので、より低コストで貯蔵庫を提供することができる。
【００５３】
なお、本実施例において、図８中、貯蔵室扉側スライドレール１０ｃの爪は、左側は左向きであり、右側は右向きである一方で、収納容器側スライドレール１０ｄの爪は、左側は右向きであり、右側は左向きだと説明したが、この構成に限られるものではない。スライドレールにより、冷凍庫室扉１０ａと収納容器１０ｂが着脱可能な構成であればよい。
【００５４】
また、本実施例においては、後述する上段冷凍室側のロック機構１０ｆと収納容器側のロック機構受け部１０ｈの働きにより上下方向に固定されているが、例えば、扉側スライドレール１０ｃ、若しくは、収納容器側スライドレール１０ｄの下端部どちらかに、ストッパーを設けてもよい。そうすることにより、上方向に持ち上がることでのみ着脱可能な構成となるが、下方向の力に対してストッパーが支持するのでより強度を増すことができる。
＜別実施例における冷凍庫室扉と収納容器との固定方法＞
冷凍庫室扉１０ａの後周縁部のシール部材１０ｓの左右の側面には、収納容器ロック機構１０ｆを設けている。ロック機構１０ｆは、冷凍庫室扉の中心に向けて鉛直方向に押す力が働く弾性体（図示せず）を介して、冷凍庫室扉１０ａと固着されている。一方、収容容器１０ｂの扉側の中央上部には、凹部になっているロック機構受け部１０ｈと、中央のロック機構受け部１０ｈに向けて盛上って傾斜する傾斜面１０ｉを設けて成形されている。
【００５５】
分離されていた上段冷凍室扉１０ａと収納容器１０ｂが、上若しくは下からスライドすることによって、ロック機構１０ｆとロック機構受け部１０ｈが嵌り合って、上下方向一意の箇所に固定される。
【００５６】
より詳細に説明すると、扉側スライドレール１０ｃと収納容器側スライドレール１０ｄの係合溝部に、それぞれのレールが噛み合う。次に、上若しくは下にスライドさせていくことにより、収納容器１０ｂの傾斜面１０ｉとロック機構１０ｆのロック機構摺動部１０ｊとが接触する。さらに上若しくは下にスライドさせていくことにより、傾斜面１０ｉに沿って滑り上がるようにロック機構１０ｆが持ち上げられる。そして、ロック機構１０ｆは、収納容器１０ｂのロック機構受け部１０ｈに嵌り合う。そのため、上段冷凍室扉１０ａと収納容器１０ｂとの上下方向の動きが抑制され、より安定性を向上させることができる。
【００５７】
また、本実施例においては、上段冷凍室側のロック機構１０ｆと収納容器側のロック機構受け部１０ｈの働きにより上下方向に固定されているが、例えば、扉側スライドレール１０ｃ、若しくは、収納容器側スライドレール１０ｄの下端部どちらかに、ストッパーを設けてもよい。そうすることにより、上方向に持ち上がることでのみ着脱可能な構成となるが、下方向の力に対してストッパーが支持するのでより強度を増すことができる。
＜＜収納容器を取り外した際の、扉と貯蔵庫本体の固定方法＞＞
図１０は、上段冷凍庫室扉と貯蔵庫本体とを固定している断面図である。図１１は、収納容器を斜め前方から示した斜視図である。図１２は、上段冷凍室扉と貯蔵庫本体を固定するロック機構の動きを後方から示した説明図である。
【００５８】
図１０に示すとおり、上段冷凍室扉１５ａの後方面の上方に、冷凍庫室扉１５ａと貯蔵庫本体１Ｈとを保持する保持機構１５ｒを設けた。保持機構１５ｒは、上垂直方向に力が働く弾性体１５ｇを介して、冷凍室扉１５ａと固着されている。また、保持機構１５ｒには、後述する保持機構側突起１５ｈを設けている。保持機構１５ｒは、弾性体１５ｇの力により、凸部１５ｘが突出し、貯蔵庫本体１Ｈに設けられた凹部１５ｊに嵌まり込むことにより、上段冷凍室扉１５ａが貯蔵庫本体１Ｈに固定される。また、図１２に示すとおり、保持機構１５ｒは、同様の構成のものが２箇所設けられている。
【００５９】
以下、上段冷凍室扉と収納容器の着脱動作における、保持機構の動作について説明する。収納容器１５ｂには、図１１に示す通り、収納容器側スライドレール１５ｂの前方の面に、左右両端から中心に向けて斜め下に傾斜し、その後水平の面を持つ収納容器側突起１５ｉを設けている。
【００６０】
図面１２中（ａ）から（ｅ）の流れに沿って、分離されていた上段冷凍室扉１５ａと収納容器１５ｂが、左から右にスライドすることによって、保持機構１５ｒが収納されていく動きを示す。上方の扉側スライドレール１５ｃの背面に保持機構１５ｒが設けられているが、図中では、扉側スライドレール１５ｃの図示を一部省略して図示している。また、収納容器１５ｂ中の破線は、前方にある収納容器側突起１５ｉの位置を示すものである。
【００６１】
まず、（ａ）において、扉側スライドレール１５ｃと収納容器側スライドレール１５ｄの嵌合溝部に、それぞれのレールが嵌り合う。次に、（ｂ）において、収納容器側突起１５ｉと保持機構１５ｒの保持機構側突起１５ｈとが接触する。（ｃ）において、収納容器側突起１５ｉ水平の面の下に、保持機構側突起１５ｈが入り込むことにより、弾性体１５ｇが縮み、保持機構１５ｒが収納される。（ｄ）から（ｅ）にかけても、同様に他方の保持機構ｒが収納される。
【００６２】
従って、冷凍庫室扉１５ａと収納容器１５ｂとが固定されているときは、保持機構１５ｒは収納されている状態になる。一方、双方が分離されているときは、保持機構１５ｒが弾性体１５ｇの力により上方に押し出されている状態になる。この状態で、図１０に示す通り、保持機構１５ｒの凸部１５ｘを貯蔵庫本体１Ｈの凹部１５ｊに嵌め込み、固定することができる。
【００６３】
従って、収納容器を外して洗浄している際に、当該収納容器を取り外した扉部と貯蔵庫本体を保持する保持機構を設けることにより、引出ドア扉が貯蔵庫本体から落ちにくくなり安全性の向上を図ることができる。また、収納容器を外し、洗浄している際に、引出ドア扉を貯蔵庫本体に取り付けていることにより、冷気を逃がすことが無いので、無駄な電力を使う必要が無く、省エネ効果がある。
【００６４】
なお、弾性体を介した保持機構とする構成としたが、これに限るものではない。例えば、図示しない、貯蔵室扉の内部に、手動の操作や外部の信号を受け取るセンサーと、センサーの指示に従いロック機構を突出させる駆動モーターにより、保持機構を設けることとしてもよい。また、引出扉側に保持機構を、貯蔵庫本体に保持機構受け部を設ける構成としたが、これに限らず、逆に引出扉側に保持機構受け部を、貯蔵庫本体に保持機構を設ける構成としてもよい。
【００６５】
以上、本発明の種々の実施形態を述べたが、その説明は典型的であることを意図している。従って、本発明の範囲内で様々な修正と変更が可能である。すなわち、本発明は発明の趣旨を変更しない範囲において適宜、任意に変更可能である。
【符号の説明】
【００６６】
１      貯蔵庫
１Ｈ    貯蔵庫本体
１Ｈ１  左側壁(貯蔵室の側壁)
１Ｈ２  右側壁(貯蔵室の側壁)
４      上段冷凍室(貯蔵室)
４ａ    上段冷凍室扉(引き出しドア)
４ｂ、６ｂ  収納容器(収納ケース)
４ｂ３  下側傾斜部(収納容器における前記容器保持部との対向箇所)
６      野菜室(貯蔵室)
６ａ    野菜室扉(引き出しドア)
９ｓ    摺動部
５４    縦仕切部(貯蔵室の側壁)
５４ｒ  縦仕切部レール(レール状案内部)
５４ｒ１  摺動部材受け部
Ｈ２ｒ、Ｈ２２ｒ  右側壁レール(レール状案内部)
Ｈ２ｓ  摺動部材受け部
【図１】
2014009910.tif 000003
【図２】
2014009910.tif 000004
【図３】
2014009910.tif 000005
【図４】
2014009910.tif 000006
【図５】
2014009910.tif 000007
【図６】
2014009910.tif 000008
【図７】
2014009910.tif 000009
【図８】
2014009910.tif 000010
【図９】
2014009910.tif 000011
【図１０】
2014009910.tif 000012
【図１１】
2014009910.tif 000013
【図１２】
2014009910.tif 000014